(57)【要約】      （修正有）【課題】部品点数を少なくして安価に種々の長さに対応することができる手すりを提供する。【解決手段】手すりは、手すり単位部材と端部支持部材と雄ねじ部材とを備える。手すり単位部材は、一体に設けられる握り部と雄ねじ部と雌ねじ部とを備える。端部支持部材は、一体に設けられる連結部と雌ねじ部と取付鍔部とを備える。雄ねじ部材は、手すり単位部材の雌ねじ部と端部支持部材の雌ねじ部とにねじ込まれて、手すり単位部材と端部支持部材とを連結する。【選択図】図１
0003157565.tif 000002
【実用新案登録請求の範囲】
【請求項１】
握り部と、握り部の一方の端部に一体に設けられる雄ねじ部と、握り部の他方の端部に一体に設けられる雌ねじ部とを備える手すり単位部材と、
手すり単位部材との連結部と、連結部の一方の端部に一体に設けられる雌ねじ部と、連結部の他方の端部に一体に設けられる取付鍔部とを備える端部支持部材の一対と、
手すり単位部材の雌ねじ部と端部支持部材の雌ねじ部とにねじ込まれて手すり単位部材と端部支持部材とを連結する雄ねじ部材とを備え、
手すり単位部材の雄ねじ部に他の手すり単位部材の雌ねじ部をねじ込んで連結して形成する手すり本体の両端を、端部支持部材により支持してなる手すり。
【請求項２】
直線形状を除く形状の握り部と、握り部の一方の端部に一体に設けられる雄ねじ部と、握り部の他方の端部に一体に設けられる雌ねじ部と、握り部の両端間の中間位置に一体に設ける固定部とを備えてなる手すり延長部材を、さらに備えてなる請求項１記載の手すり。
【請求項３】
それぞれの雄ねじ部は、その基端が雄ねじ部分の外径より大なる外径に形成してある請求項１又は２記載の手すり。
【請求項４】
それぞれの雌ねじ部は、その先端が外側に向かって雌ねじ部分の内径より拡開するテーパ面を含むねじ無し部分を備える請求項１〜３のいずれかに記載の手すり。
【請求項５】
雄ねじ部材が、長手方向のほぼ中央に外径がねじ部分より大なる太径部を備える請求項１〜４のいずれかに記載の手すり。
【請求項６】
手すり単位部材及び手すり延長部材の握り部が、中空の管材からなる請求項１〜５のいずれかに記載の手すり。
【請求項７】
端部支持部材の連結部が、約９０度に曲がった中空の管材からなる請求項１〜６のいずれかに記載の手すり。
【考案の詳細な説明】
【技術分野】
【０００１】
本考案は、廊下、風呂場、トイレなどに取り付けられる手すりに関するものである。
【背景技術】
【０００２】
従来、例えば、特許文献１のもののように、所定の長さの手すり部材を連結して、所望の長さの手すり本体を形成するものも知られている。このものでは、手すり部材の端部に、雄ねじ部を有する第一連結部材及び雌ねじ部を有する第二連結部材をそれぞれねじにより取り付け、雄ねじ部を雌ねじ部にねじこむことにより二本の手すり部材を連結するものである。
【先行技術文献】
【特許文献】
【０００３】
【特許文献１】実用新案登録第２５０２３６２号公報
【考案の概要】
【考案が解決しようとする課題】
【０００４】
ところが、このような構成のものであると、二本の手すり部材を連結するための部材（第一連結部材、第二連結部材、ねじ）が増え、在庫管理が煩雑になるとともに、現場での組み立て作業が複雑になった。
【０００５】
そこで本考案は、このような不具合を解消することを目的としている。
【課題を解決するための手段】
【０００６】
すなわち、本考案の手すりは、握り部と、握り部の一方の端部に一体に設けられる雄ねじ部と、握り部の他方の端部に一体に設けられる雌ねじ部とを備える手すり単位部材と、手すり単位部材との連結部と、連結部の一方の端部に一体に設けられる雌ねじ部と、連結部の他方の端部に一体に設けられる取付鍔部とを備える端部支持部材の一対と、手すり単位部材の雌ねじ部と端部支持部材の雌ねじ部とにねじ込まれて手すり単位部材と端部支持部材とを連結する雄ねじ部材とを備え、手すり単位部材の雄ねじ部に他の手すり単位部材の雌ねじ部をねじ込んで連結して形成する手すり本体の両端を、端部支持部材により支持してなることを特徴とする。
【０００７】
このような構成によれば、手すり単位部材の握り部の端部に、雄ねじ部及び雌ねじ部を一体に設けているので、連結する手すり単位部材以外に、連結用の部材の必要がない。したがって、手すりを設置するにあたって、多くの部材を管理する必要がなくなり、在庫管理を容易にすることが可能になる。
【０００８】
しかも、施工に際しては、連結する手すり単位部材の雄ねじ部を他の手すり単位部材の雌ねじ部にねじこむだけで手すり単位部材を連結して手すり本体を構築することができるので、作業性を向上させることが可能になる。加えて、手すり単位部材の連結本数を調整することにより、種々の長さの手すりに対応することが可能になる。
【０００９】
直線形状を除く形状の握り部と、握り部の一方の端部に一体に設けられる雄ねじ部、握り部の他方の端部に一体に設けられる雌ねじ部と、握り部の両端間の中間位置に一体に設ける固定部とを備えてなる手すり延長部材を、さらに備えるものであれば、異なる方向に手すりを延長することができる。具体的には、手すり単位部材の握り部は、約９０度に曲がっているものが好ましい。
【００１０】
それぞれの部材の連結状態を補強するためには、それぞれの雄ねじ部が、その基端が雄ねじ部分の外径より大なる外径に形成してあるもの、それぞれの雌ねじ部が、その先端が外側に向かって雌ねじ部分の内径より拡開するテーパ面を含むねじ無し部分を備えるもの、及び雄ねじ部材が、長手方向のほぼ中央に外径がねじ部分より大なる太径部を備えるものが好ましい。
【００１１】
手すり単位部材の握り部が、中空の直線状管材からなるものであれば、軽量にすることができ、施工現場への運搬などが容易になる。
【００１２】
端部支持部材の連結部が、約９０度に曲がった中空の管材からなるものであれば、軽量にすることができ、設置する面に対して平行に手すりを取り付けることができる。
【考案の効果】
【００１３】
本考案は、以上に説明した構成であり、部品点数を少なくして安価に種々の長さに対応することができる手すりを提供することができる。
【図面の簡単な説明】
【００１４】
【図１】本考案の実施形態の斜視図。
【図２】同実施形態の手すり単位部材の斜視図。
【図３】同実施形態の手すり単位部材の断面図
【図４】同実施形態の端部支持部材の斜視図。
【図５】同実施形態の端部支持部材の断面図。
【図６】同実施形態の雄ねじ部材の斜視図。
【図７】同実施形態の雄ねじ部材の断面図。
【図８】本考案の他の実施形態の斜視図。
【図９】同他の実施形態の手すり延長部材の斜視図。
【図１０】同他の実施形態の手すり延長部材の断面図。
【考案を実施するための最良の形態】
【００１５】
以下、本考案の一実施形態を、図１乃至７を参照して説明する。
【００１６】
この実施形態の手すり１は、握り部２と、握り部２の一方の端部に一体に設けられる雄ねじ部３と、握り部２の他方の端部に一体に設けられる雌ねじ部４とを備える手すり単位部材５と、手すり単位部材５との連結部６と、連結部６の一方の端部に一体に設けられる雌ねじ部７と、連結部６の他方の端部に一体に設けられる取付鍔部８とを備える端部支持部材９の一対と、手すり単位部材５の雌ねじ部４と端部支持部材９の雌ねじ部８とにねじ込まれて手すり単位部材５と端部支持部材９とを連結する雄ねじ部材１０とを備えてなる。そして、複数の手すり単位部材５を相互に連結して形成される手すり本体１１の両端を、端部支持部材９により支持することにより、所望の長さの手すり１を所望の設置場所、例えば階段の壁等に構築するものである。
【００１７】
手すり単位部材５は、射出成形により形成される、例えば長さが２０ｃｍ程度の短寸の合成樹脂製の中空の直線状の管材からなり、その両端部分を除く部分が握り部２となる。手すり単位部材５は、その断面形状が円環であり、握り部２は、手すり１において、使用者が握る部分に対応する。手すり単位部材５は、雄ねじ部３が外径より小なる外径にて握り部２の一端に一体に形成してあり、握り部２の他端に、雄ねじ部３の外径に対応する内径にて雌ねじ部４が一体に形成してある。したがって、手すり単位部材５同士を連結した場合、外周面はほぼ面一になる。
【００１８】
雄ねじ部３は、雌ねじ部４に対応するねじ形状であり、したがって、雄ねじ部３は雌ねじ部４及び雌ねじ部９にねじこむことができる。雄ねじ部３の基端３ａは、それ以外の部分つまり雄ねじ部分の外径より大なる外径に形成してある。この基端３ａは、その表面に雄ねじは形成されずに、面取りが施された円環が一体に形成された形状になっている。この雄ねじ部３の基端３ａに対応して、雌ねじ部４の先端４ａは、外側に向かって雌ねじ部分の内径より拡開するテーパ面を含むねじ無し部分を備える。先端４ａの内径は、基端３ａの外径にほぼ等しい。これにより、例えば手すり単位部材５を連結した場合、一方の手すり単位本体部材５の雄ねじ部３の基端３ａに他方の手すり単位部材５の雌ねじ部４の先端４ａが密着して、基端３ａにより連結状態が補強される。
【００１９】
それぞれの端部支持部材９は、手すり単位部材５と同様に、射出成形により形成される合成樹脂製のものである。連結部６は、円板からなる取付鍔部８の中心部分から取付鍔部８に垂直に所定長さ伸びた後、約９０度に曲がって取付鍔部８に平行に伸びる形状である。この連結部６の外径は、手すり単位部材５の外径と等しく、したがって、端部支持部材９の雌ねじ部７は、手すり単位部材５の雌ねじ部４と等しいねじ形状をしており、その先端７ａは先端４ａと同じ形状、すなわちテーパ面を含むねじ無し部分に形成してある。取付鍔部８には、端部支持部材９を固定するための、例えば、ねじが貫通する取付孔１２が、四カ所にあけられている。
【００２０】
雄ねじ部材１０は、合成樹脂製の中空の直線状円管材からなり、射出成形により形成される。雄ねじ部材１０は、手すり単位部材５の雄ねじ部３の基端３ａに対応する太径部１０ａをその長手方向のほぼ中央に備えるとともに、雄ねじ部３と同じねじ形状にしてある。太径部１０ａの外径は、雄ねじ部材１０の雄ねじ部分の外径より大なる外径で、先端４ａの内径とほぼ等しくしてある。したがって、手すり単位部材５の雌ねじ部４と、端部支持部材９の雌ねじ部７との両方にねじこむことができ、手すり単位部材５及び端部支持部材９にねじこんだ際に、太径部１０ａが連結状態を補強する。
【００２１】
このような構成において、例えば、約１ｍの手すりを設置する場合、五本の手すり単位部材５と、二個の端部支持部材９と、一本１０の雄ねじ部材とを使用する。すなわち、手すり単位部材５は、その雄ねじ部３を、連結する他の手すり単位部材５の雌ねじ部４にねじこむことを順次繰り返して五本を連結する。そして、端部に位置する手すり単位部材５の雌ねじ部４に、雄ねじ部材１０をねじ込み、両端に雄ねじが存在する一連の手すり本体１１を形成する。この状態で、手すり単位部材５のそれぞれの雄ねじ部３のねじ込み具合を調整することで、手すり本体１１の全長を微調整することができる。
【００２２】
次に、手すり本体１１の両端に、端部支持部材９を取り付ける。手すり本体１１は、その両端が手すり単位部材５の雄ねじ部３と雄ねじ部材１０とによる雄ねじになっているので、端部支持部材９の雌ねじ部７にそれらの雄ねじをねじこむことで、手すり本体１１に端部支持部材９を連結することができる。この状態で、端部支持部材９の締め具合を調整することにより、それぞれの端部支持部材９の取付鍔部８の裏面を、ほぼ面一となる方向に固定する。
【００２３】
この後、端部支持部材９の取付鍔部８を、手すり１を取り付ける壁に密着させた状態で、それぞれの取付孔１２を介してねじを締める。これにより、端部支持部材９が壁に固定され、一対の端部支持部材９により手すり本体１１が支持されて、手すり１の取付が完了する。
【００２４】
このような構成によれば、射出成形により製造する手すり単位部材５と端部支持部材９と雄ねじ部材１０との三種類の部品により手すり１を構築することができるので、手すり１を構成する部品の製造及び管理に要する費用を低減することができる。しかも、手すり単位部材５の一方の端部に雄ねじ部３が、他方の端部に雌ねじ部４がそれぞれ一体に形成してあるので、連結のための部品点数を減らすことができる。また、このような手すり単位部材５の構成であるので、それぞれの手すり単位部材５の雄ねじ部３と雌ねじ部４とを相互にねじこむだけの作業で連結することができ、手すり１の構築作業を簡素化することができる。さらに、雄ねじ部３及び雌ねじ部４が一体であるので、別の部品を使用して手すり単位部材５を連結する場合に比較して、強度を高くすることができる。さらに、雄ねじ部３の基端３ａ及び雄ねじ部材１０の太径部１０ａの外径を大きくして、それらがそれぞれの雌ねじ部４、７の先端４ａ、７ａに嵌り込むようにしているので、手すり単位部材５及び端部支持部材９の連結を補強することができる。
【００２５】
また、手すり単位部材５の本数を調整することにより、容易に各種の所望の長さの手すり１を構築することができる。
【００２６】
次に、この考案の他の実施形態を、図８乃至１０により説明する。
【００２７】
この他の実施形態では、上述の実施形態に、手すり延長部材１３を追加する構成である。
【００２８】
手すり延長部材１３は、手すり単位部材５と同様に、合成樹脂製のもので、射出成形により形成される。手すり延長部材の握り部１４は、手すり単位部材５と同一の外径の中空の管材からなる。握り部１４は、約９０度の角度で曲がっており、したがって連結される手すり単位部材５は二方向に整列する。手すり延長部材１３は、雄ねじ部１５が、握り部１４の外径より小なる外径にて握り部１４の一端に一体に形成してあり、握り部１４の他端に雄ねじ部１５の外径に対応する内径にて雌ねじ部１６が一体に形成してある。雄ねじ部１５は、手すり単位部材５の雄ねじ部３と同一のねじ形状であり、その基端１５ａは、基端３ａと同じ雄ねじが形成されない太径になっており、同様にして雌ねじ部１６は、手すり単位部材５の雌ねじ部４と同一のねじ形状であり、その先端１６ａには、先端４ａと同じテーパ面を含むねじ無し部分が形成してある。したがって、手すり単位部材５と手すり延長部材１３とが連結された場合に、それぞれの外周面はほぼ面一になる。
【００２９】
さらに、手すり延長部材１３は、その折れ曲がり部分の側面で、両端間の中間位置に、直管と円板とからなる固定部１７が形成してある。すなわち、固定部１７は、手すり延長部材１３の握り部１４が、同一平面上に位置する場合に、その平面に垂直な方向に延びる直管１８と、その直管１８の端部に一体に設けられて握り部１４により形成される平面に平行に位置する円板１９とからなる。円板１９は、端部支持部材９の取付鍔部８に相当するもので、固定用のねじを入れる取付孔２０が、握り部１４に干渉しない位置の四カ所に設けてある。
【００３０】
このような構成において、六本の手すり単位部材５と、一本の手すり延長部材１３と、二個の端部支持部材９とにより、垂直方向と水平方向とに手すり本体２１が伸びる手すりを説明する。
【００３１】
まず、手すり単位部材５を二本連結するとともに、これとは別に、四本を連結する。二本連結した手すり単位部材５を、手すり延長部材１３に連結する。ここでは、手すり単位部材５の雄ねじ部３に、手すり延長部材１３の雌ねじ部１６をねじこんで両者を連結するものとする。次に、四本連結した手すり単位部材５を、手すり延長部材１３に連結する。この場合、手すり延長部材１３は、その雄ねじ部１５があいているので、雄ねじ部１５に、連結された手すり単位部材５の雌ねじ部４をねじこんで両者を連結する。これにより、Ｌ字型に伸びる手すり本体２１が形成される。
【００３２】
この後、二本連結した手すり単位部材５の雌４ねじ部４に雄ねじ部材１０をねじこむ。そして、ねじこんだ雄ねじ部材１０を、端部支持部材９の雌ねじ部７にねじこんで、手すり本体２０と端部支持部材９とを連結し、四本連結した手すり単位部材５の雄ねじ部３をもう一個の端部支持部材９の雌ねじ部７ねじこんで、手すり本体２１と端部支持部材９とを連結する。
【００３３】
このようにして、手すり本体２１に端部支持部材９を取り付けた後、それぞれの端部支持部材９の取付鍔部８を施工現場の壁の固定位置に密着させるとともに、手すり延長部材１３の固定部１７を固定位置に密着させる。この状態で、取付鍔部８及び固定部１７をねじにより壁に固定し、手すり２２を壁に設けるものである。
【００３４】
この他の実施形態によれば、垂直方向と水平方向との二方向に伸びる手すり本体２１を有する手すり２２を構築することができる。
【００３５】
なお、上述の実施形態においては、手すり単位部材５、手すり延長部材１３、端部支持部材９の連結部６及び雄ねじ部材１０が中空の管材であるものを説明したが、中空でない棒材であってもよい。
【００３６】
また、上述の実施形態では、手すり単位部材５、手すり延長部材１３、端部支持部材９及び雄ねじ部材１０を合成樹脂により製造するものを説明したが、合成樹脂以外に、金属や木材、あるいはそれらを組み合わせたものを素材として製造するものであってよい。手すり単位部材５、端部支持部材９及び雄ねじ部材１０は、例えば、表面を合成樹脂あるいは木で被覆した、例えばステンレスなどの金属製の管材からなる複合素材製のもの、又は全体が木製の棒材や金属管材製のものであってもよい。このようなものでは、雄ねじ部３及び雌ねじ部４、７を、被覆の合成樹脂ではなく、金属製の管材、又は木製の棒材に一体に形成するものである。
【００３７】
さらに、手すり延長部材１３は、握り部１４が約９０度の角度で曲がっているもの以外に、例えば約１３５度の角度で曲がるものであってもよい。
【００３８】
加えて、手すり１、２１が長尺になる場合、長尺部分の中央付近に位置する手すり単位部材５を支持して、壁等に固定する構成としてもよい。
【００３９】
その他、各部の具体的構成についても上記実施形態に限られるものではなく、本考案の趣旨を逸脱しない範囲で種々変形が可能である。
【産業上の利用可能性】
【００４０】
本考案の活用例として、廊下、風呂場、トイレなどに取り付けられる手すりが挙げられる。
【符号の説明】
【００４１】
１…手すり
２…握り部
３…雄ねじ部
４…雌ねじ部
５…手すり単位部材
６…連結部
７…雌ねじ部
８…取付縁部
９…端部支持部材
１０…雄ねじ部材
１１…手すり本体
【図１】
0003157565.tif 000003
【図２】
0003157565.tif 000004
【図３】
0003157565.tif 000005
【図４】
0003157565.tif 000006
【図５】
0003157565.tif 000007
【図６】
0003157565.tif 000008
【図７】
0003157565.tif 000009
【図８】
0003157565.tif 000010
【図９】
0003157565.tif 000011
【図１０】
0003157565.tif 000012
【手続補正書】
【提出日】平成21年12月16日(2009.12.16)
【手続補正１】
【補正対象書類名】実用新案登録請求の範囲
【補正対象項目名】請求項６
【補正方法】変更
【補正の内容】
【請求項６】
手すり単位部材の握り部が、中空の管材からなる請求項１〜５のいずれかに記載の手すり。
【手続補正２】
【補正対象書類名】明細書
【補正対象項目名】０００９
【補正方法】変更
【補正の内容】
【０００９】
直線形状を除く形状の握り部と、握り部の一方の端部に一体に設けられる雄ねじ部、握り部の他方の端部に一体に設けられる雌ねじ部と、握り部の両端間の中間位置に一体に設ける固定部とを備えてなる手すり延長部材を、さらに備えるものであれば、異なる方向に手すりを延長することができる。具体的には、手すり延長部材の握り部は、約９０度に曲がっているものが好ましい。